(57)【要約】【課題】撮像装置において、ユーザの満足度の高い照明を提供できるようにする。【解決手段】撮像装置１Ａによれば、撮像部１０６の周囲にわたって配置され、被写体を照明するために発光する発光部１１３を有し、制御部１０１は、角速度センサ１１０及び／又は加速度センサ１１１により撮像装置１Ａの姿勢又は保持状態を検出し、その検出結果に基づいて被写体の状態を判断し、その判断結果に基づいて点灯制御部１１２により発光部１１３の発光態様を制御する。【選択図】図３
2019057902.tif 000002
【特許請求の範囲】
【請求項１】
撮像手段と、
前記撮像手段の周囲に複数配置され、被写体を照明するために発光する発光手段と、
前記被写体の状態を判断する判断手段と、
前記判断手段の判断結果に基づいて、前記発光手段の発光態様を制御する制御手段と、
を備えることを特徴とする撮像装置。
【請求項２】
前記判断手段は、前記撮像装置の姿勢又は保持状態の少なくとも一方により、前記被写体の状態を判断することを特徴とする請求項１に記載の撮像装置。
【請求項３】
前記判断手段は、前記撮像手段による前記被写体の撮像位置又は撮像方向により、前記被写体の状態を判断することを特徴とする請求項１又は２に記載の撮像装置。
【請求項４】
前記制御手段は、前記複数の発光手段を選択的に発光させるように制御することを特徴とする請求項１〜３のいずれか一項に記載の撮像装置。
【請求項５】
前記判断手段は、前記撮像手段により撮像された画像からの顔領域の検出状態により前記被写体の状態を判断することを特徴とする請求項１〜３のいずれか一項に記載の撮像装置。
【請求項６】
前記制御手段は、前記顔領域の検出状態に基づき、前記複数の発光手段を選択的に発光させるよう制御することを特徴とする請求項５に記載の撮像装置。
【請求項７】
撮像手段と、
前記撮像手段の周囲に複数配置され、被写体を照明するために発光する発光手段と、
複数種類の撮影モードの中から特定の撮影モードが選択されたか否かを判断する選択判断手段と、
前記選択判断手段の判断結果に基づいて、前記発光手段の発光態様を制御する制御手段と、
を備えることを特徴とする撮像装置。
【請求項８】
撮像手段と第１の発光手段とを備える第１のケースと、この第１のケースと回動可能に設けられ第２の発光手段を備える第２のケースとからなり、
前記第１の発光手段及び前記第２の発光手段の発光態様を制御する発光制御手段を備えることを特徴とする撮像装置。
【請求項９】
周囲環境の明るさを取得する明るさ取得手段を更に備え、
前記発光制御手段は、前記明るさ取得手段により取得された周囲環境の明るさに基づいて、前記第１の発光手段の発光量と前記第２の発光手段の発光量の比率を変更するよう発光態様を制御することを特徴とする請求項８記載の撮像装置。
【請求項１０】
前記撮像手段は、照明された被写体を撮像し、
前記撮像手段により撮像された状態を表示する表示手段を備えることを特徴とする請求項１〜９のいずれか一項に記載の撮像装置。
【請求項１１】
前記撮像手段により照明された被写体を撮像することにより取得された被写体画像を記録する記録手段を備えることを特徴とする請求項１〜１０のいずれか一項に記載の撮像装置。
【請求項１２】
撮像手段と、当該撮像手段の周囲に複数配置され、被写体を照明するために発光する発光手段と、を備える撮像装置における撮像方法であって、
前記被写体の状態を判断する判断工程と、
前記判断工程における判断結果に基づいて、前記発光手段の発光態様を制御する制御工程と、
を含むことを特徴とする撮像方法。
【請求項１３】
撮像手段と、当該撮像手段の周囲に複数配置され、被写体を照明するために発光する発光手段と、を備える撮像装置に用いられるコンピュータを、
前記被写体の状態を判断する判断手段、
前記判断手段における判断結果に基づいて、前記発光手段の発光態様を制御する制御手段、
として機能させることを特徴とするプログラム。
【発明の詳細な説明】
【技術分野】
【０００１】
本発明は、撮像装置、撮像方法、及びプログラムに関する。
【背景技術】
【０００２】
従来、レンズ周囲にリングストロボを備え、撮影時にこれを発光させることで、特に暗所における近接撮影において明るい環境で撮影することが可能なカメラが提案されている。
【先行技術文献】
【特許文献】
【０００３】
【特許文献１】特開２００６−０８４５９９号公報
【発明の概要】
【発明が解決しようとする課題】
【０００４】
しかしながら、特許文献１に記載の構成の場合、リングストロボの発光に際しては、発光、非発光の何れかを選択するものであり、ユーザが満足する照明を提供することは困難であった。
【０００５】
本発明は、このような問題点に鑑みてなされたものであり、撮像装置において、ユーザが満足する照明を提供できるようにすることを目的とする。
【課題を解決するための手段】
【０００６】
上記課題を解決するため、請求項１に記載の発明の撮像装置は、
撮像手段と、
前記撮像手段の周囲に複数配置され、被写体を照明するために発光する発光手段と、
前記被写体の状態を判断する判断手段と、
前記判断手段の判断結果に基づいて、前記発光手段の発光態様を制御する制御手段と、
を備えることを特徴とする。
【発明の効果】
【０００７】
本発明によれば、撮像装置において、ユーザが満足する照明を提供することが可能となる。
【図面の簡単な説明】
【０００８】
【図１】（ａ）は、撮像装置の正面図、（ｂ）は、撮像装置の右側面図である。
【図２】第１の実施形態における撮像装置の機能的構成を示すブロック図である。
【図３】図２の制御部により実行される撮影制御処理Ａを示すフローチャートである。
【図４】撮像装置の姿勢及び保持状態と被写体の距離との関係を模式的に示す図である。
【図５】第２の実施形態における撮像装置の機能的構成を示すブロック図である。
【図６】図５の制御部により実行される撮影制御処理Ｂを示すフローチャートである。
【図７】第３の実施形態における撮像装置の機能的構成を示すブロック図である。
【図８】図７の制御部により実行される撮影制御処理Ｃを示すフローチャートである。
【図９】第４の実施形態における撮影モード設定テーブルの記憶内容を示す図である。
【図１０】第４の実施形態における図２の制御部により実行される撮影制御処理Ｄを示すフローチャートである。
【図１１】発光部の発光量の比率を示す図である。
【発明を実施するための形態】
【０００９】
以下、添付図面を参照して本発明に係る実施形態を詳細に説明する。なお、本発明は、図示例に限定されるものではない。
【００１０】
＜第１の実施形態＞
［撮像装置１Ａの構成］
図１（ａ）は、第１の実施形態に係る撮像装置１Ａの正面図である。図１（ｂ）は、撮像装置１Ａの右側面図である。撮像装置１Ａは、主としてユーザが自分の顔を被写体として撮像するためのコンパクト形状の撮像装置であり、図１（ａ）、（ｂ）に示すように、第１のケースに備えられた撮像ユニット１１と、第２のケースに備えられた表示ユニット１２と、ヒンジ１３と、を備えて構成されている。なお、以下の説明では、図１（ａ）に示す撮像装置１Ａの右方向を＋Ｘ方向、左方向を−Ｘ方向とする。
【００１１】
撮像ユニット１１は、被写体と対向する正面側に、撮像レンズ１０６ａを備えるとともに、撮像レンズ１０６ａの周囲にわたって配置され被写体を照明するために発光する発光部１１３を備えている。本実施形態では、発光部１１３は、８つのＬＥＤ（Light Emitting Diode）１１３ａ〜１１３ｈが撮像レンズ１０６ａの周りに等間隔に配置されて構成されていることとするが、これに限定されるものではない。
【００１２】
表示ユニット１２は、被写体と対向する正面側に、正方ＬＣＤ（Liquid Crystal Display）等により構成される表示部１０３と、発光部１１４とを備えている。また、表示ユニット１２には、撮影を指示するためのシャッターキー１０５ａが設けられている。  
【００１３】
撮像ユニット１１と表示ユニット１２はヒンジ１３を回転中心として回転可能に構成されており、撮像ユニット１１の撮像レンズ１０６ａ側の面と表示ユニット１２の表示部１０３側の面を内側として折りたたむ（閉じる）ことが可能である。また、図１（ｂ）に示すように、撮像時に撮像ユニット１１と表示ユニット１２のなす角度θを１８０°よりも小さくすることで、撮影時に発光部１１３と発光部１１４による二方向から被写体を照射することが可能である。
【００１４】
図２は、撮像装置１Ａの機能的構成を示すブロック図である。図２に示すように、撮像装置１Ａは、制御部１０１、記憶部１０２、表示部１０３、通信部１０４、操作部１０５、撮像部１０６、画像処理部１０７、画像メモリ１０８、開閉検出部１０９、角速度センサ１１０、加速度センサ１１１、点灯制御部１１２、発光部１１３、発光部１１４等を備えて構成されている。制御部１０１と各部はバスにより接続されている。
【００１５】
制御部１０１は、ＣＰＵ（Central Processing Unit）、ＲＡＭ（Random Access Memory）等を備えて構成され、記憶部１０２に記憶されている各種のプログラムを実行して所定の演算や各部の制御を行う。制御部１０１は、判断手段、制御手段として機能する。
【００１６】
記憶部１０２は、不揮発性の半導体メモリやハードディスク等により構成される。記憶部１０２には、制御部１０１で実行されるシステムプログラムや各種処理プログラム、これらのプログラムの実行に必要なデータ等が記憶されている。
【００１７】
表示部１０３は、正方ＬＣＤ等により構成され、制御部１０１からの表示制御信号に従って、例えば、撮像部１０６により撮像された状態を示すライブビュー画像や、撮影指示に応じて撮像部１０６により取得された被写体画像等を表示する。
【００１８】
通信部１０４は、外部の機器と無線又は有線によりデータ通信を行うためのインターフェースである。
【００１９】
操作部１０５は、シャッターキー１０５ａを始めとする各種機能ボタンを備え、ユーザによる各ボタンの押下入力を受け付けてその操作情報を制御部１０１に出力する。
【００２０】
撮像部１０６は、撮像レンズ１０６ａ、図示しないＣＣＤ（Charge Coupled Device）やＣＭＯＳ（Complementary Metal-oxide Semiconductor）等のイメージセンサ等からなる撮像素子、Ａ／Ｄ変換回路等を備えて構成され、撮像レンズ１０６ａを通過した光学像を撮像素子により２次元の画像信号に変換し、画像データ（ＲＧＢデータ）を取得する。
【００２１】
画像処理部１０７は、撮像部１０６により取得されたＲＧＢデータに画素補間処理及びγ補正処理を含むカラープロセス処理を行った後、デジタル値の輝度信号Ｙ及び色差信号Ｃｂ，Ｃｒからなる画像データ（ＹＵＶデータ）に変換する。また、画像処理部１０７は、ＹＵＶの画像データに所定の符号化方式で符号化を行う。
【００２２】
画像メモリ１０８は、例えば、フラッシュメモリ等により構成され、撮像部１０６により撮像され、画像処理部１０７により処理された画像データを記録する記録手段である。
【００２３】
開閉検出部１０９は、撮像ユニット１１と表示ユニット１２とが閉じた状態（閉状態。角度θが所定角度より小さい状態。）であるか開いた状態（開状態。角度θが所定角度以上の状態。）であるかを検出して検出信号を制御部１０１に出力する。
【００２４】
角速度センサ１１０は、例えば、ジャイロセンサにより構成され、角速度を検出して検出信号を制御部１０１に出力する。
加速度センサ１１１は、例えば、３軸加速度センサにより構成され、加速度を検出して検出信号を制御部１０１に出力する。
【００２５】
点灯制御部１１２（ドライバ）は、ＬＥＤ１１３ａ〜１１３ｈ、発光部１１４のＬＥＤのそれぞれに接続され、制御部１０１からの指示に従って、それぞれの光量や点灯／消灯を制御する。
【００２６】
発光部１１３は、撮像レンズ１０６ａの周囲に配置された複数の発光部材（ＬＥＤ１１３ａ〜１１３ｈ）を備えて構成され、被写体に光を照射する。
発光部１１４は、ＬＥＤ等により構成され、被写体を補助的に照明する他、ユーザへの報知用に用いられる。
【００２７】
［撮像装置１Ａの動作］
次に、撮像装置１Ａの動作について説明する。
図３は、撮像装置１Ａの制御部１０１により実行される撮影制御処理Ａを示すフローチャートである。撮影制御処理Ａは、例えば、開閉検出部１０９により開状態が検出された場合に、制御部１０１と記憶部１０２に記憶されているプログラムとの協働により実行される。
【００２８】
まず、制御部１０１は、角速度センサ１１０及び／又は加速度センサ１１１による検出信号に基づいて、撮像装置１Ａの姿勢（傾き）又は保持状態の少なくとも一方を検出する（ステップＳ１）。例えば、制御部１０１は、加速度センサ１１１による検出信号に基づいて重力加速度の方向を特定し、特定した重力加速度の方向から、撮像装置１Ａの姿勢を検出する。または、制御部１０１は、角速度センサ１１０による検出信号に基づいて、撮像装置１Ａが振られている方向を検出し、その方向に基づいて、撮像装置１Ａが右手で保持されているか左手で保持されているかの保持状態を検出する。或いは、加速度センサ１１１と角速度センサ１１０の双方の検出結果に基づいて、撮像装置１Ａの姿勢及び／又は保持状態を検出することとしてもよい。
【００２９】
次いで、制御部１０１は、ステップＳ１における検出結果に基づいて、被写体の状態を判断する（ステップＳ２）。尚、これ以降で説明する被写体は、ユーザの顔も含む。
例えば、図４に示すように、撮像装置１Ａが右手で保持されている場合又は＋Ｘ方向が上向きの姿勢である場合、体の構造と撮影しやすさから、被写体の右側から撮影を行うのが一般的である。この場合、撮像レンズ１０６ａ（発光部１１３）と被写体の右側との距離Ａと、撮像レンズ１０６ａ（発光部１１３）と被写体の左側との距離Ｂとを比較すると、距離Ａ＜距離Ｂである。すなわち、制御部１０１は、撮像装置１Ａが右手で保持されている場合又は＋Ｘ方向が上向きの姿勢である場合、被写体の右側は発光部１１３から近く、被写体の左側は発光部１１３から遠い状態であると判断する。
また、図４に示すように、撮像装置１Ａが左手で保持されている場合又は−Ｘ方向が上向きの姿勢である場合、体の構造と撮影しやすさから、被写体の左側から撮影を行うのが一般的である。この場合、撮像レンズ１０６ａ（発光部１１３）と被写体の左側との距離Ｄと、撮像レンズ１０６ａ（発光部１１３）と被写体の右側との距離Ｃとを比較すると、距離Ｄ＜距離Ｃである。すなわち、制御部１０１は、撮像装置１Ａが左手で保持されている場合又は−Ｘ方向が上向きの姿勢である場合、被写体の左側は発光部１１３から近く、被写体の右側は発光部１１３から遠い状態であると判断する。
【００３０】
なお、上記の判断は、撮像装置１Ａが図１（ａ）、（ｂ）に示す構成である場合の例であり、例えば、シャッターキー１０５ａの位置が撮像ユニット１１側に設けられている場合等、撮像装置１Ａの構成が異なる場合には、その構成に応じて姿勢又は保持状態に基づいて判断される被写体の状態は異なる場合がある。
【００３１】
次いで、制御部１０１は、被写体の状態に基づいて、点灯制御部１１２により発光部１１３及び発光部１１４の発光態様の制御を行う（ステップＳ３）。
ここで、ＬＥＤは光の直進性が強いため、被写体との距離が短いと被写体が強く照らされてしまい、被写体との距離が長いと被写体まで光が届かない。そこで、例えば、被写体の右側が発光部１１３から近く、被写体の左側が発光部１１３から遠い状態である場合、発光部１１３の左側の光量が強く、発光部１１３の右側の光量が弱くなるように発光制御を行う。すなわち、「ＬＥＤ１１３ｄ〜ＬＥＤ１１３ｆの光量≦ＬＥＤ１１３ｃ、ＬＥＤ１１３ｇの光量≦ＬＥＤ１３ａ、ＬＥＤ１３ｂ、ＬＥＤ１３ｈの光量」となるように制御する。これにより、被写体に均等に光を照射することができ、顔に光ムラのない画像を得ることが可能となる。
また、例えば、被写体の左側が発光部１１３から近く、被写体の右側が発光部１１３から遠い状態である場合、発光部１１３の右側の光量が強く、発光部１１３の左側の光量が弱くなるように発光制御を行う。すなわち、「ＬＥＤ１３ａ、ＬＥＤ１３ｂ、ＬＥＤ１３ｈの光量≧ＬＥＤ１３ｃ、ＬＥＤ１３ｇの光量≧ＬＥＤ１３ｄ〜ＬＥＤ１３ｆの光量」となるように制御する。これにより、被写体に均等に光を照射することができ、顔に光ムラのない画像を得ることが可能となる。
【００３２】
なお、各ＬＥＤ１１３ａ〜ＬＥＤ１１３ｈの光量の強弱は、例えば、点灯制御部１１２によりＬＥＤ１３ａ〜ＬＥＤ１３ｈを選択的に発光させることで制御してもよいし、各ＬＥＤに流す電流の大きさを変えることにより制御することとしてもよいし、その両方により制御してもよい。発光部１１４のＬＥＤについては、所定の光量で発光するように制御してもよいし、消灯させてもよい。
【００３３】
次いで、制御部１０１は、所定時間間隔で撮像部１０６により発光部１１３によって照明された被写体の撮像を行い、表示部１０３にライブビュー画像の表示を行う（ステップＳ４）。これにより、ユーザは撮影前に被写体の照明状態を確認することができる。
【００３４】
次いで、制御部１０１は、シャッターキー１０５ａが押下されたか否かを判断する（ステップＳ５）。
シャッターキー１０５ａが押下されていないと判断した場合（ステップＳ５；ＮＯ）、制御部１０１は、角速度センサ１１０及び／又は加速度センサ１１１による検出信号に基づいて、撮像装置１Ａの姿勢又は保持状態の少なくとも一方を検出し（ステップＳ６）、撮像装置１Ａの姿勢又は保持状態が変更になったか否かを判断する（ステップＳ７）。撮像装置１Ａの姿勢又は保持状態が変更になっていないと判断した場合（ステップＳ７；ＮＯ）、制御部１０１は、ステップＳ４に戻る。撮像装置１Ａの姿勢又は保持状態が変更になったと判断した場合（ステップＳ７；ＹＥＳ）、制御部１０１は、ステップＳ２に戻る。
【００３５】
一方、ステップＳ５において、シャッターキー１０５ａが押下されたと判断した場合（ステップＳ５；ＹＥＳ）、制御部１０１は、撮像部１０６により撮像を行わせ、得られた被写体画像を画像メモリ１０８に記録させる（ステップＳ８）。これにより、ユーザが満足する照明で撮影された、仕上がりのよい被写体画像を記録しておくことが可能となる。
【００３６】
次いで、制御部１０１は、開閉検出部１０９により、撮像装置１Ａの閉状態が検出されたか否かを判断する（ステップＳ９）。
撮像装置１Ａの閉状態が検出されていないと判断した場合（ステップＳ９；ＮＯ）、制御部１０１は、ステップＳ４に戻る。
撮像装置１Ａの閉状態が検出されたと判断した場合（ステップＳ９；ＹＥＳ）、制御部１０１は、点灯制御部１１２により発光部１１３及び発光部１１４のＬＥＤを消灯させ（ステップＳ１０）、撮影制御処理Ａを終了する。
【００３７】
このように、第１の実施形態によれば、被写体の状態に応じて発光部１１３の発光態様を制御するので、ユーザの満足度の高い照明を提供することが可能となる。
【００３８】
＜第２の実施形態＞
次に、本発明の第２の実施形態について説明する。
図５は、第２の実施形態における撮像装置１Ｂの機能的構成を示すブロック図である。図５に示すように、撮像装置１Ｂは、画像解析部１１５を備えている。
【００３９】
画像解析部１１５は、制御部１０１の指示に従って、撮像部１０６により取得された画像を解析して被写体領域を検出し、撮像部１０６による被写体の撮像位置（ここでは、撮像領域のどの位置に撮像されているか）又は撮像方向（ここでは、撮像領域のどの方向に撮像されているか）を検出する。被写体は、ここでは人物であるので、被写体領域の検出は、例えば、パターン認識により人物形状を検出する手法等公知の画像処理技術を用いることができる。
なお、画像解析部１１５は、制御部１０１と記憶部１０２に記憶されているプログラムとの協働により実現されるものであってもよいし、専用のハードウエアにより実現されるものであってもよい。
【００４０】
また、第２の実施形態においては、角速度センサ１１０及び加速度センサ１１１は不要であるため、図５においては、撮像装置１Ｂがこれらを備えていないものとして図示しているが、備えていても構わない。
撮像装置１Ｂのその他の構成及び外観は図１を用いて説明した撮像装置１Ａと同様であるので説明を援用し、以下、第２の実施形態の動作について説明する。
【００４１】
図６は、撮像装置１Ｂの制御部１０１により実行される撮影制御処理Ｂを示すフローチャートである。撮影制御処理Ｂは、例えば、開閉検出部１０９により開状態が検出された場合に、制御部１０１と記憶部１０２に記憶されているプログラムとの協働により実行される。
【００４２】
まず、制御部１０１は、撮像部１０６により撮像を行わせ、得られた画像を画像解析部１１５により解析させることにより、被写体の撮像位置又は撮像方向を検出する（ステップＳ１１）。
画像解析部１１５は、撮像部１０６により取得された画像に基づいて、撮像位置（撮像領域のどの位置に被写体が撮像されているか）又は撮像方向（撮像領域のどの方向に被写体が撮像されているか）を検出する。
【００４３】
次いで、制御部１０１は、ステップＳ１１における検出結果に基づいて、被写体の状態を判断する（ステップＳ１２）。
ステップＳ１２においては、被写体がどの方向に位置している状態であるか否かを判断する。
【００４４】
次いで、制御部１０１は、被写体の状態に基づいて、点灯制御部１１２により発光部１１３及び発光部１１４の発光制御を行う（ステップＳ１３）。
例えば、制御部１０１は、被写体が位置している方向に基づいて、各ＬＥＤ１１３ａ〜ＬＥＤ１１３ｈの光量を制御する。
なお、各ＬＥＤ１１３ａ〜ＬＥＤ１１３ｈの光量の強弱は、例えば、点灯制御部１１２によりＬＥＤ１３ａ〜ＬＥＤ１３ｈを選択的に発光することで制御してもよいし、各ＬＥＤに流す電流の大きさを変えることにより制御することとしてもよいし、その両方により制御してもよい。発光部１１４のＬＥＤについては、所定の光量で発光するように制御してもよいし、消灯させてもよい。
【００４５】
次いで、制御部１０１は、所定時間間隔で撮像部１０６により発光部１１３によって照明された被写体の撮像を行い、表示部１０３にライブビュー表示を行う（ステップＳ１４）。これにより、ユーザは撮影前に被写体の照明状態を確認することができる。
【００４６】
次いで、制御部１０１は、シャッターキー１０５ａが押下されたか否かを判断する（ステップＳ１５）。
シャッターキー１０５ａが押下されていないと判断した場合（ステップＳ１５；ＮＯ）、制御部１０１は、撮像部１０６により撮像を行わせ、得られた画像を画像解析部１１５により解析させて被写体の撮像位置又は撮像方向を検出し（ステップＳ１６）、被写体の撮像位置又は撮像方向が変更されたか否かを判断する（ステップＳ１７）。被写体の撮像位置又は撮像方向が変更になっていないと判断した場合（ステップＳ１７；ＮＯ）、制御部１０１は、ステップＳ１４に戻る。被写体の撮像位置又は撮像方向が変更になったと判断した場合（ステップＳ１７；ＹＥＳ）、制御部１０１は、ステップＳ１２に戻る。
【００４７】
一方、ステップＳ１５において、シャッターキー１０５ａが押下されたと判断した場合（ステップＳ１５；ＹＥＳ）、制御部１０１は、撮像部１０６により撮像を行わせ、得られた被写体画像を画像メモリ１０８に記録させる（ステップＳ１８）。これにより、ユーザが満足する照明で撮影された、仕上がりのよい被写体画像を記録しておくことが可能となる。
【００４８】
次いで、制御部１０１は、開閉検出部１０９により、撮像装置１Ｂの閉状態が検出されたか否かを判断する（ステップＳ１９）。
撮像装置１Ｂの閉状態が検出されていないと判断した場合（ステップＳ１９；ＮＯ）、制御部１０１は、ステップＳ１４に戻る。
撮像装置１Ｂの閉状態が検出されたと判断した場合（ステップＳ１９；ＹＥＳ）、制御部１０１は、点灯制御部１１２により発光部１１３及び発光部１１４のＬＥＤを消灯させ（ステップＳ２０）、撮影制御処理Ｂを終了する。
【００４９】
このように、第２の実施形態によれば、被写体の状態に応じて発光部１１３の発光態様を制御するので、ユーザの満足度の高い照明を提供することが可能となる。
【００５０】
＜第３の実施形態＞
次に、本発明の第３の実施形態について説明する。
図７は、第３の実施形態における撮像装置１Ｃの機能的構成を示すブロック図である。図７に示すように、撮像装置１Ｃは、顔検出部１１６、顔画像解析部１１７を備えている。
顔検出部１１６は、制御部１０１の指示に従って、撮像部１０６により撮像された画像から顔領域を検出する。顔領域の検出は、パターン認識等の公知の画像処理技術を用いて検出することができる。
顔画像解析部１１７は、制御部１０１の指示に従って、顔検出部１１６により検出され顔領域の位置や両目の瞳の大きさ等に基づいて、被写体の状態（例えば、顔の向き（回転度合い））を判断する。
なお、顔検出部１１６及び顔画像解析部１１７は、制御部１０１と記憶部１０２に記憶されているプログラムとの協働により実現されるものであってもよいし、専用のハードウエアにより実現されるものであってもよい。
【００５１】
また、第３の実施形態においては、角速度センサ１１０及び加速度センサ１１１は不要であるため、図７においては、撮像装置１Ｃがこれらを備えていないものとして図示しているが、備えていても構わない。
撮像装置１Ｃのその他の構成及び外観は図１を用いて説明した撮像装置１Ａと同様であるので説明を援用し、以下、第３の実施形態の動作について説明する。
【００５２】
図８は、撮像装置１Ｃの制御部１０１により実行される撮影制御処理Ｃを示すフローチャートである。撮影制御処理Ｃは、例えば、開閉検出部１０９により開状態が検出された場合に、制御部１０１と記憶部１０２に記憶されているプログラムとの協働により実行される。
【００５３】
まず、制御部１０１は、撮像部１０６により撮像を行わせ、得られた画像から顔検出部１１６により顔領域を検出する（ステップＳ２１）。
【００５４】
次いで、制御部１０１は、顔画像解析部１１７により、ステップＳ２１において検出された顔の状態を被写体の状態として判断する（ステップＳ２２）。
例えば、顔画像解析部１１７によって顔領域の画像を解析することにより、被写体である顔がどの方向を向いているかを判断する。あるいは、検出された顔領域のサイズに基づいて、被写体である顔がどれだけ撮像装置１Ｃに近づいている状態であるかを判断してもよい。
【００５５】
次いで、制御部１０１は、検出された顔の状態に基づいて、点灯制御部１１２により発光部１１３及び発光部１１４の発光制御を行う（ステップＳ２３）。
例えば、制御部１０１は、検出された顔の向きに基づいて、各ＬＥＤ１１３ａ〜ＬＥＤ１１３ｈの光量を制御する。また、被写体が遠い場合は発光部１１３の光量が強く、被写体が近い場合は発光部１１３の光量が弱くなるように各ＬＥＤ１１３ａ〜ＬＥＤ１１３ｈの発光制御を行う。
なお、各ＬＥＤ１１３ａ〜ＬＥＤ１１３ｈの光量の強弱は、例えば、点灯制御部１１２によりＬＥＤ１３ａ〜ＬＥＤ１３ｈを選択的に発光することで制御してもよいし、各ＬＥＤに流す電流の大きさを変えることにより制御することとしてもよいし、その両方により制御してもよい。発光部１１４のＬＥＤについては、所定の光量で発光するように制御してもよいし、消灯させてもよい。
【００５６】
次いで、制御部１０１は、所定時間間隔で撮像部１０６により発光部１１３によって照明された被写体の撮像を行い、表示部１０３にライブビュー表示を行う（ステップＳ２４）。これにより、ユーザは撮影前に被写体の照明状態を確認することができる。
【００５７】
次いで、制御部１０１は、シャッターキー１０５ａが押下されたか否かを判断する（ステップＳ２５）。
シャッターキー１０５ａが押下されていないと判断した場合（ステップＳ２５；ＮＯ）、制御部１０１は、撮像部１０６により画像を取得させ、取得した画像から顔検出部１１６により顔領域の検出を行い、顔画像解析部１１７により被写体の顔の状態を判断する（ステップＳ２６）。被写体の顔の状態が変更されていないと判断した場合（ステップＳ２６；ＮＯ）、制御部１０１は、ステップＳ２４に戻る。被写体の顔の状態が変更になったと判断した場合（ステップＳ２６；ＹＥＳ）、制御部１０１は、ステップＳ２３に戻る。
【００５８】
一方、ステップＳ２５において、シャッターキー１０５ａが押下されたと判断した場合（ステップＳ２５；ＹＥＳ）、制御部１０１は、撮像部１０６により撮像を行わせ、得られた被写体画像を画像メモリ１０８に記録させる（ステップＳ２８）。これにより、ユーザが満足する照明で撮影された、仕上がりのよい被写体画像を記録しておくことが可能となる。
【００５９】
次いで、制御部１０１は、開閉検出部１０９により、撮像装置１Ｃの閉状態が検出されたか否かを判断する（ステップＳ２９）。
撮像装置１Ｃの閉状態が検出されていないと判断した場合（ステップＳ２９；ＮＯ）、制御部１０１は、ステップＳ２４に戻る。
撮像装置１Ｃの閉状態が検出されたと判断した場合（ステップＳ２９；ＹＥＳ）、制御部１０１は、点灯制御部１１２により発光部１１３及び発光部１１４のＬＥＤを消灯させ（ステップＳ３０）、撮影制御処理Ｃを終了する。
【００６０】
このように、第３の実施形態によれば、被写体の状態に応じて発光部１１３の発光態様を制御するので、ユーザの満足度の高い照明を提供することが可能となる。
【００６１】
＜第４の実施形態＞
次に、本発明の第４の実施形態について説明する。
第４の実施形態は、図２に示す撮像装置１Ａ、図５に示す撮像装置１Ｂ、図７に示す撮像装置１Ｃの何れの撮像装置に適用してもよい。以下、第４の実施形態における撮像装置の動作について説明する。
図９は、第４の実施形態において記憶部１０２に記憶される撮影モード設定テーブル１０２１の記憶内容を示す図である。本実施形態においては、設定された撮影モードに応じて、発光部１１３（第１の発光手段）のＬＥＤ１１３ａ〜１１３ｈ、及び発光部１１４（第２の発光手段）のうち、点灯する発光部が選択される。例えば、撮影モード設定テーブル１０２１において、撮影モード「Ａ」の選択を検出すれば、発光部１１３のＬＥＤ１１３ａ〜１１３ｈ、発光部１１４全てが点灯すべきものとして選択される。また、撮影モード「Ｂ」の選択を検出すれば、ＬＥＤ１１３ａ、１１３ｂ、及び、１１３ｈが点灯すべきものとして選択される。更に、撮影モード「Ｃ」の選択を検出すれば、ＬＥＤ１１３ａ、１１３ｂ、１１３ｄ〜１１３ｆ、及び、１１３ｈが点灯すべきものとして選択される。更にまた、撮影モード「Ｄ」の選択を検出すれば、ＬＥＤ１１３ｂ〜１１３ｄが点灯すべきものとして選択される。このように本実施形態では、選択検出された撮影モードに応じて、撮影条件や記録条件が設定されるとともに点灯する発光部が選択される。
【００６２】
図１０は、第４の実施形態において制御部１０１により実行される撮影制御処理Ｄを示すフローチャートである。撮影制御処理Ｄは、例えば、開閉検出部１０９により開状態が検出された場合に、制御部１０１と記憶部１０２に記憶されているプログラムとの協働により実行される。
【００６３】
まず、制御部１０１は、例えばユーザの操作による撮影モードの選択を検出する（ステップＳ３１）。
【００６４】
次いで、制御部１０１は、ステップＳ３１において選択が検出された撮影モードが発光部１１４を点灯させる撮影モードか否かを判断する（ステップＳ３２）。例えば、図９において撮影モード「Ａ」の選択を検出すれば、発光部１１４は点灯するものと判断する（ステップＳ３２においてＹＥＳ）。一方、撮影モード「Ｂ」〜「Ｄ」の何れかの選択を検出すれば、発光部１１４は点灯しないものと判断する（ステップＳ３２においてＮＯ）。
【００６５】
ステップＳ３２において、ＹＥＳと判断した場合、制御部１０１は、ＬＥＤ１１３ａ〜１１３ｈ、発光部１１４に対して発光を指示する（ステップＳ３３）。そして、制御部１０１は、撮像部１０６を用いた測光値より自装置（撮像装置１Ａ、１Ｂ又は１Ｃ）周囲の明るさ、すなわち環境光のレベル（環境光Ｌｖ）を取得し（ステップＳ３４）、この環境光Ｌｖに応じてＬＥＤ１１３ａ〜１１３ｈの発光量を調節する（ステップＳ３５）。
【００６６】
より具体的には、環境光レベルはＬｖ０〜Ｌｖ７程度まで設定され、Ｌｖ３が室内光の明るさに対応する。一方、Ｌｖ０は最も暗い環境に設定され、明るい環境であればＬＥＤ１１３ａ〜１１３ｈの発光量を下げ、暗い環境であればＬＥＤ１１３ａ〜１１３ｈの発光量を上げる。
【００６７】
更に、制御部１０１は、取得された環境光のレベル（環境光Ｌｖ）にしたがい、ステップＳ３５にて設定したＬＥＤ１１３ａ〜１１３ｈの発光量と発光部１１４の発光量との比率を変更する（ステップＳ３６）。より具体的には、図１１に図示するように、環境光レベルＬｖ３以上であれば、ＬＥＤ１１３ａ〜１１３ｈの発光量と発光部１１４の発光量はほぼ１：１の比率とし、これにより、ＬＥＤ１１３ａ〜１１３ｈの発光量と発光部１１４の発光量とを合わせたトータルの発光量が「１」とした場合、ＬＥＤ１１３ａ〜１１３ｈの発光量と、発光部１１４の発光量とは共に１／２となる。そして、Ｌｖ２からＬｖ０になる、すなわち暗くなるにしたがって、発光部１１４の発光量の比率が少なくなるように設定され、最終的にＬｖ０になると、ＬＥＤ１１３ａ〜１１３ｈの発光量は７／８、一方、発光部１１４の発光量は、１／８となる。
【００６８】
一方、ステップＳ３２において、ＮＯと判断した場合、制御部１０１は、撮影モード設定テーブル１０２１の記憶内容に従い、ＬＥＤ１１３ａ〜１１３を選択的に発光するように指示する（ステップＳ３７）。そして撮像部１０６を用いた測光値より撮像装置１Ａ周囲の明るさ、すなわち環境光のレベル（環境光Ｌｖ）を取得し（ステップＳ３８）、この環境光Ｌｖに応じてＬＥＤ１１３ａ〜１１３ｈのうち点灯しているＬＥＤの発光量を調節する（ステップＳ３９）。以降の処理は第１の実施形態〜第３の実施形態のＳ４、Ｓ１４、Ｓ２４の何れか以降と同様なので省略する。このように第４の実施形態によれば、環境の明るさに応じて、被写体に対し、より自然な発光量で照射光を照射できるので、ユーザの満足度の高い照明を提供することが可能となる。
【００６９】
以上、本発明の第１〜第４の実施形態について説明したが、本発明に係る撮像装置の好適な一例であり、これに限定されるものではない。
【００７０】
例えば、第１の実施形態においては、撮像装置の姿勢又は保持状態の少なくとも一方の検出結果、第２の実施形態においては、撮像部による被写体の撮像位置又は撮像方向の検出結果、第３の実施形態においては、撮像された画像における顔の検出状態に基づいて、被写体の状態を判断することとしたが、二以上の実施形態における検出及び検出結果を組み合わせて被写体の状態を判断することとしてもよい。これにより、被写体の状態をより詳細に検出することが可能となる。
【００７１】
また、上記実施形態においては、発光部１１３の各ＬＥＤ１１３ａ〜１１３ｈの光量を制御することで、発光部１１３の発光態様を制御することとしたが、発光色を制御することとしてもよい。
【００７２】
また、例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７３】
その他、撮像装置を構成する各装置の細部構成及び細部動作に関しても、発明の趣旨を逸脱することのない範囲で適宜変更可能である。
【００７４】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
撮像手段と、
前記撮像手段の周囲に複数配置され、被写体を照明するために発光する第１の発光手段と、
前記被写体の状態を判断する判断手段と、
前記判断手段の判断結果に基づいて、前記発光手段の発光態様を制御する制御手段と、
を備えることを特徴とする撮像装置。
＜請求項２＞
前記判断手段は、前記撮像装置の姿勢又は保持状態の少なくとも一方により、前記被写体の状態を判断することを特徴とする請求項１に記載の撮像装置。
＜請求項３＞
前記判断手段は、前記撮像手段による前記被写体の撮像位置又は撮像方向により、前記被写体の状態を判断することを特徴とする請求項１又は２に記載の撮像装置。
＜請求項４＞
前記制御手段は、前記複数の第１の発光手段を選択的に発光させるように制御することを特徴とする請求項１〜３のいずれか一項に記載の撮像装置。
＜請求項５＞
前記判断手段は、前記撮像手段により撮像された画像からの顔領域の検出状態により前記被写体の状態を判断することを特徴とする請求項１〜３のいずれか一項に記載の撮像装置。
＜請求項６＞
前記制御手段は、前記顔領域の検出状態に基づき、前記複数の第１の発光手段を選択的に発光させるよう制御することを特徴とする請求項５に記載の撮像装置。
＜請求項７＞
撮像手段と、
前記撮像手段の周囲に複数配置され、被写体を照明するために発光する発光手段と、
複数種類の撮影モードの中から特定の撮影モードが選択されたか否かを判断する選択判断手段と、
前記選択判断手段の判断結果に基づいて、前記発光手段の発光態様を制御する制御手段と、
を備えることを特徴とする撮像装置。
＜請求項８＞
撮像手段と第１の発光手段とを備える第１のケースと、この第１のケースと回動可能に設けられ第２の発光手段を備える第２のケースとからなり、
前記第１の発光手段及び前記第２の発光手段の発光態様を制御する発光制御手段を備えることを特徴とする撮像装置。
＜請求項９＞
周囲環境の明るさを取得する明るさ取得手段を更に備え、
前記発光制御手段は、前記明るさ取得手段により取得された周囲環境の明るさに基づいて、前記第１の発光手段の発光量と前記第２の発光手段の発光量の比率を変更するよう発光態様を制御することを特徴とする請求項８記載の撮像装置。
＜請求項１０＞
前記撮像手段は、照明された被写体を撮像し、
前記撮像手段により撮像された状態を表示する表示手段を備えることを特徴とする請求項１〜９のいずれか一項に記載の撮像装置。
＜請求項１１＞
前記撮像手段により照明された被写体を撮像することにより取得された被写体画像を記録する記録手段を備えることを特徴とする請求項１〜１０のいずれか一項に記載の撮像装置。
＜請求項１２＞
撮像手段と、当該撮像手段の周囲に複数配置され、被写体を照明するために発光する発光手段と、を備える撮像装置における撮像方法であって、
前記被写体の状態を判断する判断工程と、
前記判断工程における判断結果に基づいて、前記発光手段の発光態様を制御する制御工程と、
を含むことを特徴とする撮像方法。
＜請求項１３＞
撮像手段と、当該撮像手段の周囲に複数配置され、被写体を照明するために発光する発光手段と、を備える撮像装置に用いられるコンピュータを、
前記被写体の状態を判断する判断手段、
前記判断手段における判断結果に基づいて、前記発光手段の発光態様を制御する制御手段、
として機能させることを特徴とするプログラム。
【符号の説明】
【００７５】
１Ａ  撮像装置
１１  撮像ユニット
１２  表示ユニット
１３  ヒンジ
１０１  制御部
１０２  記憶部
１０３  表示部
１０４  通信部
１０５  操作部
１０６  撮像部
１０６ａ  撮像レンズ
１０７  画像処理部
１０８  画像メモリ
１０９  開閉検出部
１１０  角速度センサ
１１１  加速度センサ
１１２  点灯制御部
１１３  発光部
１１４  発光部
１Ｂ  撮像装置
１１５  画像解析部
１Ｃ  撮像装置
１１６  顔検出部
１１７  顔画像解析部
１０２１  撮影モード設定テーブル
【図１】
2019057902.tif 000003
【図２】
2019057902.tif 000004
【図３】
2019057902.tif 000005
【図４】
2019057902.tif 000006
【図５】
2019057902.tif 000007
【図６】
2019057902.tif 000008
【図７】
2019057902.tif 000009
【図８】
2019057902.tif 000010
【図９】
2019057902.tif 000011
【図１０】
2019057902.tif 000012
【図１１】
2019057902.tif 000013